(57)【要約】【課題】本発明は、用地の境界線に限りなく近い位置に支線を設置し、近隣の住民の不満を緩和し、またすることが可能な支線用打込アンカーを提供することを目的としている。【解決手段】電柱１０に掛かる荷重を分担する支線２０を地面に係留する支線用打込アンカー（アンカー１００）において、土圧を受ける抵抗板１１０と、抵抗板１１０に起立して接続されるアーム１３０とを備え、アーム１３０の支線２０側の先端（接続点１３２）は、抵抗板１１０の左右方向に偏って位置していることを特徴とする。【選択図】図１
2010209518.tif 000002
【特許請求の範囲】
【請求項１】
電柱に掛かる荷重を分担する支線を地面に係留する支線用打込アンカーにおいて、
土圧を受ける抵抗板と、
前記抵抗板に起立して接続されるアームとを備え、
前記アームの前記支線側の先端は、前記抵抗板の左右方向に偏って位置していることを特徴とする支線用打込アンカー。
【請求項２】
電柱に掛かる荷重を分担する支線を地面に係留する支線用打込アンカーにおいて、
土圧を受ける抵抗板と、
前記抵抗板に起立して接続されるアームとを備え、
前記アームは、前記抵抗板に接続される少なくとも２つの支点と、前記支線に接続される少なくとも１つの接続点とを有し、
前記支点の一方は前記抵抗板の左右方向の端部近傍に接続されており、
前記接続点は前記抵抗板の左右方向の端部近傍からほぼ垂直に起立した位置にあることを特徴とする支線用打込アンカー。
【請求項３】
前記アームは、前記抵抗板に着脱可能に接続されることを特徴とする請求項１または請求項２に記載の支線用打込アンカー。
【請求項４】
前記抵抗板は左右対称形であって、
前記アームは前記抵抗板に対して左右反転して接続可能であることを特徴とする請求項３に記載の支線用打込アンカー。
【請求項５】
前記抵抗板は、略中央に上下方向に立設されたリブと、該リブに設けられた接続穴と、前記抵抗板の左右方向両側の縁に設けられた切欠とを有し、
前記アームは、前記接続穴に挿通される軸部と、前記切欠に嵌合する係止部とを備えたことを特徴とする請求項４に記載の支線用打込アンカー。
【発明の詳細な説明】
【技術分野】
【０００１】
本発明は、電柱に掛かる荷重を分担する支線を地面に係留する支線用打込アンカーに関する。
【背景技術】
【０００２】
配電設備を構成する電柱のうち、電線の張架の状態によって、特に、電柱両径間の電線に水平（屈曲）角度が付いているものは角度柱、電線がその電柱で引き留めされているものは末端柱と呼ばれている。なお径間とは電柱と電柱の間のことをいい、両径間とはある電柱とその両側の電柱との間のことをいう。
【０００３】
図９は電柱と支線の状態を説明する図である。電柱１０において、電線１２の張力は最も大きな荷重である。このため「電気設備の技術基準（経済産業省）」では、電線路中５°を越える水平角度をなす箇所（角度柱）、および全架線を引き留める箇所（末端柱）には、電線の水平荷重や不平均荷重に耐えるために、支線２０を設けることが定められている。
【０００４】
支線２０は鋼線からなるワイヤーであって、水平方向に他の電柱に張られたものは水平支線、周辺の地面に張られたものは地支線とよばれている。地支線（以下、単に「支線」という。）は、地面に埋設された支線用打込アンカー（以下、単に「アンカー３０」という。）に接続される。
【０００５】
図１０は従来のアンカー３０を説明する図である。アンカー３０は、ほぼ平坦な抵抗板３２と、抵抗板３２に起立して接続されるアーム３４とを備えており、アーム３４の先端に支線２０が接続される。抵抗板３２は、理想的には支線２０の引っ張り方向に対して直角になるように地中に打ち込まれ（埋設され）、土圧を受けて支線２０の張力に抵抗する。抵抗板３２の下端は、地中に打ち込みやすいように先端が細く楔状に形成されている。アーム３４は抵抗板３２の中央に上下方向に立設されたリブ３６に、上下方向に回動可能に軸支されている。アーム３４がリブ３６に（抵抗板３２に）対して回動可能になっているのは、支線２０の引っ張り方向に対する抵抗板３２の姿勢に自由度を持たせて施工を容易にするためと、折りたたんで収納および運搬する際の便宜とするためである。
【０００６】
上記のようなアンカーは従来から提供されており、例えば特許文献１にはアンカーの施設方法が開示されている。特許文献１によれば、限定的な狭い溝を作ってアンカーを施設することにより、同じ土中深度でもより強力なアンカーを施設できるとしている。
【０００７】
また図９に示すように、支線２０の低い位置（人間が接触する位置）には、通行人が支線２０に衝突することを防止するための支線ガード４０が取り付けられる。例えば特許文献２には、支線ガードを長手方向に分割した半割円筒状とし、支線を挟み込むことによってこれに取り付ける構成が開示されている。
【先行技術文献】
【特許文献】
【０００８】
【特許文献１】特開平０７−３１７０６１号公報
【特許文献２】特開平０７−１３９２２３号公報
【発明の概要】
【発明が解決しようとする課題】
【０００９】
上記のように、支線は電柱に対する電線の状態に応じて適宜施設される。このため、支線の施設の有無および方向を任意に選択することはできず、必要な箇所には必ず施設しなくてはならない。なお、水平支線にて別の電柱から引っ張り、その別の電柱を地支線にて固定することはできるが、もう１本の電柱を立てなくてはならないという問題がある。すると、必ずしも道路などの公共用地に支線のアンカーを施設することができず、時として個人が所有する土地に施設する必要が生じる。また公共用地に施設できる場合であっても、狭隘な路地などに施設する場合もある。
【００１０】
しかし、従来のアンカーを用いた場合、境界線に沿ってアンカーを施設しても、支線は境界線から離れた位置に張られてしまうという問題がある。
【００１１】
図１１は従来のアンカーの施設状況を説明する図である。図１１に示すように、支線２０が土地の境界線１４に沿って施設されているとする。このとき、アンカー３０の抵抗板３２を、土中においても境界線１４からはみ出させることができないため、アンカー３０が境界線１４の際に設置される。するとアンカー３０のアーム３４は抵抗板３２の中央に立設されたリブ３６に取り付けられているため、支線２０は境界線１４から抵抗板３２の幅の１／２だけ離れた位置に張られることになる。さらにこの支線２０には支線ガード４０が取り付けられることから、現状として支線ガード４０の境界線１４（塀など）からの張り出し量Ｗ１は２０ｃｍほどにもなっている。
【００１２】
このように境界線１４から浮いた（離れた）状態で支線２０および支線ガード４０が存在すると、付近の住民の通行や自動車の乗降の際にじゃまになったり、自転車や荷物の置き場に困ったりするといった支障が生じるおそれがある。これが高じると住民の支線や電柱に対する印象が悪くなり、苦情によって支障移設工事が必要となったり、新設のために用地を借用する際に承諾を得にくくなったりするおそれがある。
【００１３】
そこで本発明は、用地の境界線に限りなく近い位置に支線を設置し、近隣の住民の不満を緩和することが可能な支線用打込アンカーを提供することを目的としている。
【課題を解決するための手段】
【００１４】
上記課題を解決するために、本発明の代表的な構成は、電柱に掛かる荷重を分担する支線を地面に係留する支線用打込アンカーにおいて、土圧を受ける抵抗板と、抵抗板に起立して接続されるアームとを備え、アームの支線側の先端は、抵抗板の左右方向に偏って位置していることを特徴とする。
【００１５】
上記構成によれば、抵抗板の左右方向（幅方向）において、抵抗板の中央よりも境界線側に偏って支線を配置することができる。したがって支線が境界線に極めて近くなり、支線ガードを取り付けても張り出す量を少なくすることができる。
【００１６】
本発明の他の代表的な構成は、電柱に掛かる荷重を分担する支線を地面に係留する支線用打込アンカーにおいて、土圧を受ける抵抗板と、抵抗板に起立して接続されるアームとを備え、アームは、抵抗板に接続される少なくとも２つの支点と、支線に接続される少なくとも１つの接続点とを備え、支点の一方は抵抗板の左右方向の端部近傍に接続されており、接続点は抵抗板の左右方向の端部近傍からほぼ垂直に起立した位置にあることを特徴とする。
【００１７】
上記構成によっても、抵抗板の左右方向（幅方向）において、抵抗板の中央よりも境界線側に偏って支線を配置することができる。したがって支線が境界線に極めて近くなり、支線ガードを取り付けても張り出す量を少なくすることができる。
【００１８】
アームは、抵抗板に着脱可能に接続されていてもよい。これにより、使用する際に組み立てればよく、収納および運搬時の取り回しを向上させることができる。
【００１９】
抵抗板は左右対称形であって、アームは抵抗板に対して左右反転して接続可能であってもよい。これにより、アームは抵抗板の左右いずれか一方に偏ったものであればよく、施工時に左右のいずれに偏らせるかを選択して接続することができる。したがって部材の共通化を図ることができ、生産コストを低減することができる。
【００２０】
抵抗板は、略中央に上下方向に立設されたリブと、リブに設けられた接続穴と、抵抗板の左右方向両側の縁に設けられた切欠とを有し、アームは、接続穴に挿通される軸部と、切欠に嵌合する係止部とを備えていてもよい。構造の具体例であって、上記構成によれば抵抗板を打ち込んだ後にアームを接続することができ、施工性を向上させることができる。
【発明の効果】
【００２１】
本発明によれば、抵抗板の左右方向（幅方向）において、抵抗板の中央よりも境界線側に偏って支線を配置することができる。したがって支線が境界線に極めて近くなり、支線ガードを取り付けても張り出す量を少なくすることができる。これにより通行人や住民の不満要素を排除することができ、顧客満足度を向上させることができる。したがって支障移設工事を削減し、また新設の際の用地借用交渉時に承諾を得やすくなり、交渉率の向上と円滑な設計が可能となる。
【図面の簡単な説明】
【００２２】
【図１】第１実施形態にかかる支線用打込アンカーの斜視図である。
【図２】第１実施形態にかかる支線用打込アンカーの分解図である。
【図３】第１実施形態にかかる支線用打込アンカーの組立図である。
【図４】第１実施形態にかかるアンカーの施設状況を説明する図である。
【図５】アームの２つの支点である軸部および係止部の他の構成を説明する図である。
【図６】アームの２つの支点として２つの接続穴を設けた例である。
【図７】アームの２つの支点を抵抗板の両側端部に接続する例である。
【図８】アームを板材ではなく線材にて形成した例である。
【図９】電柱と支線の状態を説明する図である。
【図１０】従来のアンカーを説明する図である。
【図１１】従来のアンカーの施設状況を説明する図である。
【発明を実施するための形態】
【００２３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
［第１実施形態］
図１は第１実施形態にかかる支線用打込アンカーの斜視図、図２は第１実施形態にかかる支線用打込アンカーの分解図である。
【００２５】
図１に示す支線用打込アンカー（以下、単に「アンカー１００」という。）は、土圧を受ける抵抗板１１０と、抵抗板１１０に起立して接続されるアーム１３０から構成されている。アーム１３０は、抵抗板１１０に対して着脱可能に取り付けることができる。
【００２６】
抵抗板１１０は、図１および図２（ａ）に示すように、土圧を受けるためにほぼ平坦な板状をなしており、地中に打ち込むために下端１１２（先端）が細く楔状に形成されて、全体としては左右対称形の船型をしている。また抵抗板１１０の上端１１４（後端）はアーム１３０側に湾曲しており、アーム１３０の角度によらず土圧を受けやすいように構成されている。なお本実施形態において、上下とはアンカー１００の使用態様における上下をいい、左右とは使用態様において支線２０からアンカー１００を見たときの左右をいう。
【００２７】
抵抗板１１０の略中央には、上下方向にリブ１２０が立設されている。リブ１２０の側面の中途部には、アーム１３０を接続するための接続穴１２２が設けられている。また抵抗板１１０の両側端部であって、接続穴１２２と対応する位置には、アーム１３０の係止部１３６を挿通するための切欠１２４が設けられている。
【００２８】
アーム１３０は、図１および図２（ｂ）に示すように、略三角形をした板状部材である。アーム１３０は、先端に支線用ジョイント１５０を接続される接続点１３２と、抵抗板１１０に接続される２つの支点として接続穴１２２に挿通される軸部１３４と、切欠１２４に嵌合する係止部１３６とを備えている。
【００２９】
接続点１３２は長穴であって、支線用ジョイント１５０の先端の環状部１５０ａが挿通されている。軸部１３４はアーム１３０の底辺１３０ａを延長する方向に突出しており、その先端近傍に抜け止めピン１４０を取り付けるための穴１３４ａを有している。係止部１３６はねじ山を備えており、抵抗板１１０の切欠１２４に挿入した状態でナット１３８を取り付けることにより係止することができる。具体例として、図２（ｂ）に示すように、軸部１３４から係止部１３６にかけて１つの屈曲した線材（棒材）で形成し、アーム１３０の主体を成す三角形状の板材と溶接により接合することができる。
【００３０】
ここでアーム１３０は、係止部１３６を略直角とする略直角三角形に形成される。したがって、アーム１３０を抵抗板１１０に接続した際には、アーム１３０の支線側の先端にある接続点１３２は、抵抗板１１０の左右方向の外側に偏って位置する。
【００３１】
図３は第１実施形態にかかる支線用打込アンカーの組立図である。上記構成により、アーム１３０は抵抗板１１０に対して着脱可能であって、抵抗板１１０を土中に打ち込んだ後にアーム１３０を接続することができる。これにより打込作業が容易となり、施工性を向上させることができる。また使用する際に組み立てればよいことから、収納および運搬時の取り回しを向上させることができる。
【００３２】
そして図３（ａ）に示すように、抵抗板１１０にアーム１３０を接続する際には、軸部１３４を接続穴１２２に挿入して、その先端の穴１３４ａに抜け止めピン１４０を取り付ける。また係止部１３６にナット１３８を取り付けることにより、係止部１３６を切欠１２４に係止する。ここでアーム１３０が略直角三角形であることから、接続点１３２は抵抗板１１０の端部からほぼ垂直に起立した位置にある。
【００３３】
また抵抗板１１０が左右対称形であることから、図３（ｂ）に示すように、抵抗板１１０の左右反対側に、アーム１３０を左右反転して接続することができる。ここで図３（ａ）および（ｂ）を見比べるとわかるように、アーム１３０を抵抗板１１０の右側に接続すればその先端の接続点１３２は右側に偏り、左側に接続すれば接続点１３２も左側に偏る。すなわちアーム１３０は抵抗板１１０の左右いずれか一方に偏ったものであればよく、施工次に左右のいずれに偏らせるかを選択して接続することができる。したがって部材の共通化を図ることができ、生産コストを低減することができる。
【００３４】
図４は第１実施形態にかかるアンカーの施設状況を説明する図である。上記構成のアンカー１００を、土地の境界線１４に添って施設する。このとき、抵抗板１１０の境界線１４側にアーム１３０を取り付けて、アーム１３０にあらかじめ接続された支線用ジョイント１５０に支線２０を接続する。これにより、抵抗板１１０の左右方向（幅方向）において、抵抗板３２中央よりも境界線１４側に偏って支線２０を配置することができる。したがって支線２０が境界線１４に極めて近くなり、支線ガード４０を取り付けても張り出す量を少なくすることができる。具体例として支線ガード４０をほぼ境界線１４に沿う位置に配置することができ、支線ガード４０の径が１０ｃｍ程度であれば、境界線１４（塀など）からの支線ガード４０の張り出し量Ｗ２を１０ｃｍ程度にすることができる。
【００３５】
これにより、通行人や住民の不満要素を排除することができ、顧客満足度を向上させることができる。したがって苦情による支障移設工事を削減し、また新設の際の用地借用交渉時に承諾を得やすくなり、交渉率の向上と円滑な設計が可能となる。
【００３６】
［他の実施形態］
図５はアーム１３０の２つの支点である軸部１３４および係止部１３６の他の構成を説明する図である。上記図２（ｂ）においては、軸部１３４と係止部１３６は、一体の線材で形成し、係止部１３６は先端にナット１３８を螺合するねじ山を備えると説明したが、他の構成であっても軸部１３４および係止部１３６を形成することができる。
【００３７】
図５（ａ）に示すアーム１３０の係止部１３７は、先端にねじ山を備えておらず、抵抗板１１０の背面側に回り込むように屈曲した鉤状の形状をしている。このように構成すると、軸部１３４を接続穴１２２に挿入する際に係止部１３７を切欠１２４に嵌合させることによって、係止部１３７の先端が抵抗板１１０の裏側に係止される。これによりナット１３８を取り付ける手間を省略し、施工性をさらに向上させることができる。
【００３８】
図５（ｂ）に示すアーム１３０は、軸部１３４および係止部１３７も、アーム１３０の主体を成す板材と一体の板材で成型されている。このように構成することにより、アーム１３０全体が鉄板からの打ち抜きで成型することができるため、製造が容易になり、生産コストの低減を図ることができる。
【００３９】
図６はアーム１３０の２つの支点として、軸部１３４および係止部１３６に代えて、２つの接続穴１４２を設けた例である。接続穴１４２は、アーム１３０から抵抗板１１０に向かって立設されている。また抵抗板１１０においては、切欠１２４に代えて、抵抗板１１０の両側端部であって接続穴１２２と同一軸上に側部接続穴１２６が設けられている。アーム１３０を抵抗板１１０に取り付ける際には、抵抗板１１０の２つの接続穴１２２と、アーム１３０の２つの接続穴１４２とを一致させ、一括してシャフト１３９とナット１３８で回動可能に軸支することができる。
【００４０】
図７はアーム１３０の２つの支点を抵抗板１１０の両側端部に接続する例である。アーム１３０は２つの係止部１３６を備えており、２つの支点の一方はねじ山を有する係止部１３６であり、他方は抵抗板１１０の背面側に回り込む係止部１３７である。抵抗板１１０は、左右両側に切欠１２４を有している。アーム１３０を抵抗板１１０に取り付ける際には、鉤状の係止部１３７を一方の切欠１２４に係止させ、ねじ山を有する係止部１３６を他方の切欠１２４に挿入した上で、ナット１３８を取り付ける。このようにアーム１３０を抵抗板１１０の両側端部に接続することにより、支線２０から受ける張力を抵抗板１１０の全体に分散させることができ、アンカー１００としての安定性を向上させることができる。
【００４１】
図８はアームを板材ではなく線材にて形成した例であって、図８（ａ）は抵抗板１１０のリブ１２０を切欠１２４に取り付ける例、図８（ｂ）は両側端部の切欠１２４に取り付ける例である。
【００４２】
図８に示すアーム１６０は略直角三角形の２辺をなし、屈曲した部分が支線用ジョイント１５０を接続する接続点１６２であって、両端を屈曲させた係止部１６４が抵抗板１１０に接続する２つの支点を成している。線材で形成したアーム１６０はその弾性により変形させることが可能であり、係止部１６４の向きに応じて広げるように変形させて、図８（ａ）に示すように接続穴１２２と切欠１２４に取り付けたり、図８（ｂ）に示すように両側の切欠１２４に接続させたりすることができる。なお係止部１６４が外側に屈曲させている場合には、狭めるように変形させて取り付ければよい。このように構成することにより、部品点数の削減を図れるとともに、アーム１３０の軽量化を図ることができるため運搬性および施工性を向上させることができる。
【００４３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４４】
本発明は、電柱に掛かる荷重を分担する支線を地面に係留する支線用打込アンカーとして利用することができる。
【符号の説明】
【００４５】
１０…電柱、１２…電線、１４…境界線、２０…支線、３０…アンカー、３２…抵抗板、３４…アーム、３６…リブ、４０…支線ガード、１００…アンカー、１１０…抵抗板、１１２…下端、１１４…上端、１２０…リブ、１２２…接続穴、１２４…切欠、１２６…側部接続穴、１３０…アーム、１３０ａ…底辺、１３２…接続点、１３４…軸部、１３４ａ…穴、１３６…係止部、１３７…係止部、１３８…ナット、１３９…シャフト、１４０…抜け止めピン、１４２…接続穴、１５０…支線用ジョイント、１５０ａ…環状部、１６０…アーム、１６２…接続点、１６４…係止部
【図１】
2010209518.tif 000003
【図２】
2010209518.tif 000004
【図３】
2010209518.tif 000005
【図４】
2010209518.tif 000006
【図５】
2010209518.tif 000007
【図６】
2010209518.tif 000008
【図７】
2010209518.tif 000009
【図８】
2010209518.tif 000010
【図９】
2010209518.tif 000011
【図１０】
2010209518.tif 000012
【図１１】
2010209518.tif 000013